(57)【要約】【課題】受信中のDABのサービスから、同内容の放送を行っている正常受信可能なFM放送にすみやかに受信対象を切り替える「ラジオ放送受信機」を提供する。【解決手段】DABのサービスを受信出力している期間中、バックグランドでFM放送の全周波数帯域をシークし、受信可能なFM放送を探索し登録するシーク処理を繰り返し行う。バックグランドシーク処理では、探索されたFM放送のうち、今回、新たに探索されたFM放送の周波数と、過去に行ったPIチェック処理でDABのサービスのSIDと一致するPIを持つことが判明しているFM放送についてのみ、PIチェック処理を行い、他の周波数についてはPIチェック処理は行わない。PIチェック処理では、FM放送からPIなどのデータを受信し、受信したPIと同じPIを持つ各FM放送の受信品質の高低の登録を更新する。【選択図】図１
2014187592.tif 000002
【特許請求の範囲】
【請求項１】
SIDによって識別されるサービスを放送単位としてデジタル音声を放送するデジタルオーディオ放送と、放送しているプログラムの識別子であるPIを含むデータをRDSによって音声に多重化して放送するFM放送とを受信可能なラジオ放送受信機であって、
PI毎に設けられた、当該PIを放送している各FM放送の周波数を各周波数間の受信品質の高低を識別可能に登録したPIテーブルを格納したメモリと、
前記デジタルオーディオ放送のサービスを受信出力している期間中、バックグランドでFM放送の周波数帯域をシークして受信可能なFM放送を探索するシーク処理を繰り返し行うバックグランドシーク手段と、
前記デジタルオーディオ放送のサービスを受信出力している期間中に、受信状態が劣化した場合に、当該サービスのSIDに対応するPIの前記PIテーブルを参照して、当該サービスのSIDに対応するPIを放送しているFM放送のうちの、最も受信品質の良い周波数のFM放送に受信出力する放送を切り替える受信放送切替手段とを有し、
前記バックグランドシーク手段は、前記シーク処理において、前記探索したFM放送が、新たに探索されたFM放送である場合と、前記デジタルオーディオ放送のサービスのうちの、受信出力しているサービスを少なくとも含む所定のサービスのいずれかのSIDに対応するPIを過去に受信したFM放送である場合との、二つの場合にのみ、当該FM放送から前記RDSによって放送されているデータを受信して、受信したデータに含まれるPIのPIテーブルの内容を、当該時点における各FM放送の受信状態に整合するように更新するPIチェック処理を行うことを特徴とするラジオ放送受信機。
【請求項２】
請求項１記載のラジオ放送受信機であって、
前記所定のサービスは、前記デジタルオーディオ放送のいずれかのサービスであることを特徴とするラジオ放送受信機。
【請求項３】
請求項１記載のラジオ放送受信機であって、
前記所定のサービスは、受信出力しているサービスと同じ周波数チャネルで放送されているいずれかのサービスであることを特徴とするラジオ放送受信機。
【請求項４】
請求項１、２または３記載のラジオ放送受信機であって、
前記メモリには、受信可能なFM放送の周波数を登録したFMステーションリストが格納されており、
前記バックグランドシーク手段は、前記シーク処理において、探索されたFM放送が登録された状態に、前記FMステーションリストを更新することを特徴とするラジオ放送受信機。
【発明の詳細な説明】
【技術分野】
【０００１】
本発明は、DAB(デジタルオーディオ放送：Digital Audio Broadcasting)とFM放送とを受信するラジオ放送受信機において、受信中のDABのサービスから、当該DABのサービスと同内容の放送を行っているFM放送のステーションに、受信対象を切り替える技術に関するものである。
【背景技術】
【０００２】
DABの音声放送の各々はサービスと呼ばれ、当該サービスによって放送されるサービス識別子SIDによって識別される。また、FM放送で放送されるプログラム（番組）は、当該FM放送がRDS（Radio Data System）によるデータ多重放送を行っているものである場合には、当該データ多重放送によって放送されるプログラム識別子PIによって識別される。また、DABのサービスで放送される内容と、当該サービスのSIDと一致するPIのプログラムを放送しているFM放送は、同内容のプログラム（番組）を放送している。
【０００３】
そして、DABとFM放送を受信するラジオ放送受信機において、受信中のDABのサービスから、当該DABのサービスと同内容の放送を行っているFM放送に、受信対象を切り替える技術としては、DABのサービスの受信中に、バックグランドで、受信可能な全てのFM放送のPIをサーチして、当該DABのサービスと同内容の放送を行っているFM放送を探索しておき、DABのサービスの受信品質が劣化した場合に、受信対象を探索しておいたFM放送に切り替える技術が知られている（たとえば、特許文献１）。
【先行技術文献】
【特許文献】
【０００４】
【特許文献１】特開２０１２-２４９２７７号公報
【発明の概要】
【発明が解決しようとする課題】
【０００５】
上述した技術によれば、ユーザによって受信するDABのサービスが切り替えられたときには、当該切り替え発生後に、受信可能な全てのFM放送のPIのサーチを行って、当該切り替え先のDABのサービスと同内容の放送を行っているFM放送を探索することとなる。一方で、一つのFM放送からのPI等のデータの取得の完了までには最大で数秒を要するため、受信可能な全てのFM放送のPIのサーチには比較的長時間を要する。
【０００６】
そして、このために、ユーザによって受信するDABのサービスが切り替えられたときに、既に、当該切替先のDABのサービスの受信品質が劣化している場合などには、当該切り替え先のDABのサービスと同内容の放送を行っているFM放送へ受信対象を直ちに切り替えることができなくなることがある。
【０００７】
一方、DABのサービスの受信中に、バックグランドで、受信可能な全てのFM放送のPIをサーチして、全てのDABのサービスについて当該サービスと同内容の放送を行っているFM放送を探索しておくようにすれば、ユーザによって受信するDABのサービスが切り替えられたときまでに、当該切り替え先のDABのサービスと同内容の放送を行っているFM放送を探索しておくことはできる。
【０００８】
しかしながら、受信可能な全てのFM放送のPIのサーチには数分を要することから、受信中のDABのサービスの受信品質の劣化に応答して探索しておいた受信中のDABのサービスと同内容の放送を行っているFM放送に受信対象を切り替えるまでに、当該FM放送サーチしたときの状態とはFM放送の受信状態が変化してしまい、探索しておいた受信中のDABのサービスと同内容の放送を行っているFM放送に受信対象を切り替えても、DABのサービスと同内容の放送を正常に受信できない場合が生じる。
【０００９】
そこで、本発明は、受信中のDABのサービスから、当該DABのサービスと同内容の放送を行っている、当該時点で正常受信可能なFM放送にすみやかに受信対象を切り替えることのできるラジオ放送受信機を提供することを課題とする。
【課題を解決するための手段】
【００１０】
前記課題達成のために、本発明は、SIDによって識別されるサービスを放送単位としてデジタル音声を放送するデジタルオーディオ放送と、放送しているプログラムの識別子であるPIを含むデータをRDSによって音声に多重化して放送するFM放送とを受信可能なラジオ放送受信機に、PI毎に設けられた、当該PIを放送している各FM放送の周波数を各周波数間の受信品質の高低を識別可能に登録したPIテーブルを格納したメモリと、前記デジタルオーディオ放送のサービスを受信出力している期間中、バックグランドでFM放送の周波数帯域をシークして受信可能なFM放送を探索するシーク処理を繰り返し行うバックグランドシーク手段と、前記デジタルオーディオ放送のサービスを受信出力している期間中に、受信状態が劣化した場合に、当該サービスのSIDに対応するPIの前記PIテーブルを参照して、当該サービスのSIDに対応するPIを放送しているFM放送のうちの、最も受信品質の良い周波数のFM放送に受信出力する放送を切り替える受信放送切替手段とを設け、前記バックグランドシーク手段において、前記シーク処理において、前記探索したFM放送が、新たに探索されたFM放送である場合と、前記デジタルオーディオ放送のサービスのうちの、受信出力しているサービスを少なくとも含む所定のサービスのSIDのいずれかに対応するPIを過去に受信したFM放送である場合との、二つの場合にのみ、当該FM放送から前記RDSによって放送されているデータを受信して、受信したデータに含まれるPIのPIテーブルの内容を、当該時点における各FM放送の受信状態に整合するように更新するPIチェック処理を行うようにしたものである。
【００１１】
ここで、このようなラジオ放送受信機は、前記所定のサービスを、前記デジタルオーディオ放送のいずれかのサービスとしてもよい。または、前記所定のサービスを、受信出力しているサービスと同じ周波数チャネルで放送されているいずれかのサービスとしてもよい。
【００１２】
また、以上のようなラジオ放送受信機は、前記メモリに、受信可能なFM放送の周波数を登録したFMステーションリストを格納し、前記バックグランドシーク手段において、前記シーク処理において、探索されたFM放送が登録された状態に、前記FMステーションリストを更新するように構成してもよい。
【００１３】
これらのようなラジオ受信機によれば、FM放送から前記RDSによって放送されているデータを受信してPIテーブルの内容を更新する、比較的時間を要するPIチェック処理は、最大でも、前記デジタルオーディオ放送のいずれかのサービスのSIDに対応するPIを過去に受信したFM放送と、新たに受信可能であることが探索されたFM放送についてのみ行われる。
【００１４】
ここで、FM放送の全てが、デジタルオーディオ放送のいずれかのサービスのSIDに対応するPIを持つ訳ではなく、サービスのSIDに対応するPIを持つFM放送は比較的少ないので、このようにシーク処理を行うことにより、シーク処理の実行間隔は短くなり、結果、各サービスのSIDに対応するPIのPIテーブルの内容が、より最新のFM放送の受信状態に整合するものに維持されることとなる。よって、受信出力しているデジタルオーディオ放送のサービスの受信状態が劣化したときに、当該サービスのSIDに対応するPIの前記PIテーブルを参照して、当該サービスと同内容を放送しており、かつ、正常受信可能なFM放送に適正に受信出力する放送を切り替えることが、よりできるようになる。
【発明の効果】
【００１５】
以上のように、本発明によれば、受信中のDABのサービスから、当該DABのサービスと同内容の放送を行っている、当該時点で正常受信可能なFM放送にすみやかに受信対象を切り替えることのできるラジオ放送受信機を提供することができる。
【図面の簡単な説明】
【００１６】
【図１】本発明の実施形態に係るラジオ放送受信機の構成を示す図である。
【図２】本発明の実施形態に係るラジオ放送受信機がメモリに格納するデータを示す図である。
【図３】本発明の実施形態に係るバックグランドシーク処理を示すフローチャートである。
【図４】本発明の実施形態に係るPIチェック処理を示すフローチャートである。
【発明を実施するための形態】
【００１７】
以下、本発明の実施形態について説明する。
図１に、本実施形態に係るラジオ放送受信機の構成を示す。
本実施形態に係るラジオ放送受信機は、自動車に搭載されるラジオ受信機やポータブルラジオ受信機などの、ラジオ放送受信機の位置が変動するラジオ放送受信機である。
そして、図示するように、ラジオ放送受信機は、DAB(デジタルオーディオ放送：Digital Audio Broadcasting)の受信系統として、DABフロントエンド（DAB F/E）１０１、DABデコーダ１０２、オーディオデコーダ１０３、DAコンバータ（DAC）１０４を備えている。
【００１８】
また、ラジオ放送受信機は、FM放送の受信系統として、FMフロントエンド（FM F/E）１０５、FM復調部１０６、RDSデコーダ１０７を備えている。
また、ラジオ受信機は、表示部１０８、操作部１０９、制御部１１０、メモリ１１１、スイッチ（SW）１１２、アンプ１１３、スピーカ１１４を備えている。
さて、ここで、DABでは、一つの周波数チャネルで、各々が一つの音声放送に相当するサービスを複数放送することができ、各サービスは、当該サービスによって放送されるサービス識別子SIDによって識別される。また、同じ周波数チャネルで放送されるサービスの集まりをアンサンブルと呼ぶ。
【００１９】
このような構成において、DABフロントエンド１０１は、DAB受信チャネルとして設定された周波数チャネルのDABを受信し、受信データをDABデコーダ１０２に送る。DABデコーダ１０２は、DABフロントエンド１０１から送られた受信データのうちから、DAB受信サービスとして設定されたサービスのオーディオデータを抽出してオーディオデコーダ１０３に送ると共に、受信サービスとして設定されたサービスのSIDを抽出して制御部１１０に送る。そして、オーディオデコーダ１０３は、DABデコーダ１０２から送られたオーディオデータをデコードしてDAコンバータ１０４に送り、DAコンバータ１０４は送られたデコード後のオーディオデータをアナログ音声信号に変換してスイッチ１１２に出力する。
【００２０】
また、FMフロントエンド１０５は、FM受信チャネルとして設定された周波数チャネルを受信し、受信信号をFM復調部１０６に送る、FM復調部１０６は受信信号から音声信号を復調してスイッチ１１２に送る。また、FM復調部１０６は、受信信号に、RDS（Radio Data System）によって音声信号に多重化されて送信されたデータ信号が含まれている場合には、これをRDSデコーダ１０７に送り、RDSデコーダ１０７はデータ信号からデータをデコードし制御部１１０に送る。ここで、RDSデコーダ１０７が制御部１１０に送るデータには、FM受信チャネルとして設定された周波数チャネルでFM放送されるプログラム（番組）の識別子となるプログラム識別子PIや、FM受信チャネルと同じPIのプログラムを放送している他のFM放送の周波数である代替周波数を示すAFリストなどが含まれる。
さて、ここで、DABフロントエンド１０１やDABデコーダ１０２は、DAB受信チャネルの受信電界強度やＳＮ比や受信データの誤り率などの、DAB受信サービスの受信品質に係る情報を制御部１１０に通知し、制御部１１０は通知された情報からDAB受信サービスの受信品質を算定する。
【００２１】
また、FMフロントエンド１０５は、FM受信チャネルの受信電界強度やＳＮ比などの、FM受信チャネルのFM放送の受信品質に係る情報を制御部１１０に通知し、制御部１１０は通知された情報からFM放送の受信品質を算定する。
次に、ラジオ放送受信機のメモリ１１１には、DABアンサンブルデータと、FMステーションリストと、PIデータとが格納される。
DABアンサンブルデータは予めメモリ１１１に格納されるデータであり、図２ａに示すように、DABアンサンブルデータは、DABのアンサンブル毎に対応して設けられたアンサンブルテーブルを有する。
そして、各アンサンブルテーブルには、対応するアンサンブルのアンサンブル名（放送局名）と、対応するアンサンブルが放送される周波数チャネルと、サービステーブルとが登録されている。また、サービステーブルには、対応するアンサンブルに含まれる各サービスに対応するエントリ（図の各行）が設けられており、各エントリには対応するサービスのサービス名と、対応するサービスのSIDとが登録されている。
【００２２】
次に、図２ｂに示すように、FMステーションリストには、現在受信可能なFM放送毎に対応して設けたエントリ（図の各行）を有し、各エントリには対応するFM放送の周波数と、対応するFM放送のPIとが登録される。
そして、図２ｃに示すように、PIデータには、過去に受信したことのあるFM放送のPI毎に対応した設けたPIテーブルを有し、各PIテーブルには、対応するPI、対応するPIのプログラムのプログラムサービス名を表すＰＳ、AF周波数テーブルが登録される。そして、AF周波数テーブルは、PIテーブルに対応するPIのプログラムを放送している各FM放送に対応して設けたエントリを備えており、各エントリには対応するFM放送が放送されている周波数が登録される。なお、各エントリは、当該エントリに登録されている周波数のFM放送の受信品質の良い順にAF周波数テーブルに登録される。
【００２３】
なお、DABのサービスで放送される内容と、当該サービスのSIDと一致するPIのプログラムを放送しているFM放送は、同内容の放送を放送している。また、DABのサービスで放送される内容と、同内容の放送を放送しているFM放送の数、すなわち、DABのサービスのSIDと一致するPIのプログラムを放送しているFM放送の数は、FM放送の全数と比べて少数に限られているのが現状である。
【００２４】
図１に戻り、制御部１１０は、アンサンブルデータ等を利用した適当なユーザインタフェースで、ユーザから操作部１０９を介した特定のDABのサービスの受信の要求が発生したならば、受信対象放送を受信を要求されたサービスに切り替える。
また、制御部１１０は、FMステーションリスト等を利用した適当なユーザインタフェースで、ユーザから操作部１０９を介して特定のFM放送の受信の要求が発生したならば、受信対象放送を受信を要求されたFM放送に切り替える。
そして、制御部１１０は、受信対象放送が切り替わった場合、切替先がサービスであれば、当該サービスが含まれるアンサンブルの周波数チャネルをDAB受信チャネルとして、DABフロントエンド１０１に設定すると共に、当該サービスをDAB受信サービスとして、DABデコーダ１０２に設定すると共に、スイッチ１１２にDAコンバータ１０４から入力する音声信号をアンプ１１３に出力させ、アンプ１１３はスイッチ１１２から入力する音声信号を増幅し、スピーカ１１４から出力する。
【００２５】
ここで、この結果、ユーザが受信を要求したDABのサービスで放送されている音声がスピーカ１１４からユーザに出力されることとなる。
また、制御部１１０は、受信対象放送が切り替わった場合、切替先がFM放送であれば、当該FM放送の周波数をFM受信チャネルとして、FMフロントエンド１０５に設定すると共に、スイッチ１１２にFM復調部１０６から入力する音声信号をアンプ１１３に出力させ、アンプ１１３はスイッチ１１２から入力する音声信号を増幅し、スピーカ１１４から出力する。
【００２６】
ここで、この結果、ユーザが受信を要求したFM放送で放送されている音声がスピーカ１１４からユーザに出力されることとなる。
また、制御部１１０は、受信対象放送がFM放送である期間中、受信対象放送であるFM放送の受信品質が所定レベル以上劣化したならば、受信対象放送であるFM放送と同内容を放送している他の放送に、受信対象放送を切り替える処理を行う。ここで、切替先となる他の放送は、DABアンサンブルデータを参照して求まる切替前の受信対象放送であるFM放送のPIと一致するSIDを持つDABのサービス、または、PIデータの、切替前の受信対象放送であるFM放送のPIが登録されたPIテーブルのAF周波数テーブルに登録されている、切替前の受信対象放送であるFM放送以外の周波数以外の周波数のうちの、最も上位に登録されている（最も受信品質の良い）周波数のFM放送である。
【００２７】
また、制御部１１０は、受信対象放送がDABのサービスである期間中、受信対象放送であるサービスの受信品質が所定レベル以上劣化したならば、受信中のサービスと同内容を放送している他の放送に、受信対象放送を切り替える処理を行う。ここで、切替先となる他の放送は、切替前の受信対象放送であるサービスのSIDと一致するPIが登録されたPIテーブルのAF周波数テーブルに登録された周波数のうち、最も上位に登録されている（最も受信品質の良い）周波数のFM放送である。
【００２８】
なお、制御部１１０は、FM放送の受信中に、適当な手法により、上述したFMステーションリストや、PIデータを更新する処理を行うようにしてもよい。
以下、このようなラジオ放送受信機において、受信対象放送がDABのサービスである期間中に、FMステーションリストや、PIデータのアップデートのために、制御部１１０がFM放送の受信系統を用いてバックグランドで行うバックグランドシーク処理について説明する。
【００２９】
図３に、このバックグランドシーク処理の手順を示す。
図示するように、制御部１１０は、この処理で、まず、FMフロントエンド１０５にFM受信チャネルとしてFM放送が行われる周波数帯の下限の周波数を設定する（ステップ３００）。
そして、FM受信チャネルの受信品質を算定し（ステップ３０２）、算定した受信品質が所定のしきい値Th超であるかどうかを調べる（ステップ３０４）。ここで、しきい値Thは、FM放送を正常に受信できる受信品質の下限値を予め設定する。
そして、FM受信チャネルの受信品質が所定のしきい値Th超でなれけば（ステップ３０４）、FMステーションリストにFM受信チャネルの周波数が登録されているかどうかを判定し（ステップ３０６）、登録されていなければステップ３１０に進み、登録されていれば、FM受信チャネルは現在受信できないので、登録されているFM受信チャネルの周波数をFMステーションリストから消去した上で（ステップ３０８）、ステップ３１０に進む。
【００３０】
一方、FM受信チャネルの受信品質が所定のしきい値Th超である場合には（ステップ３０４）、FMステーションリストにFM受信チャネルの周波数が登録されているかどうかを判定し（ステップ３１４）、登録されていればステップ３１６に進む。そして、ステップ３１６において、FMステーションリストにFM受信チャネルの周波数のエントリに登録されているPIが、DABアンサンブルデータのいずれかのアンサンブルテーブルに登録されているSIDと一致するかどうかを調べ、一致しなければステップ３１０に進み、一致すればステップ３１８に進む。
【００３１】
一方、FM受信チャネルの受信品質が所定のしきい値Th超であり（ステップ３０４）、FMステーションリストにFM受信チャネルの周波数が登録されていない場合には（ステップ３１４）、FMステーションリストに新たなエントリを作成し、作成したエントリにFM受信チャネルの周波数を登録した上で（ステップ３２０）、ステップ３１８に進む。
【００３２】
次に、ステップ３１６またはステップ３２０からステップ３１８に進んだならば、FM受信チャネルのPIチェック処理を実行し、ステップ３１０に進む。ここで、ステップ３１８で行うPIチェック処理については後に詳述する。
そして、以上のようにしてステップ３０８または３１６または３１８から、ステップ３１０に進んだならば、FM受信チャネルがFM放送が行われる周波数帯の上限の周波数に到達しているかどうかを調べ、到達していなければ、FM受信チャネルを所定の周波数ステップFSTP（たとえば、FSTP=100kHz)だけ増加して（ステップ３１２）、ステップ３０２からの処理に戻り、FSTPだけ増加したFM受信チャネルについて以上の処理を行う。
【００３３】
一方、FM受信チャネルがFM放送が行われる上限の周波数に到達している場合には（ステップ３１０）、ステップ３００に戻って、FM放送が行われる下限の周波数から、以上の処理を繰り返す。
以上、制御部１１０が行うバックグランドシーク処理の手順について説明した。
次に、以上のようなバックグランドシーク処理のステップ３１８で行うPIチェック処理について説明する。
図４に、このPIチェック処理の手順を示す。
図示するように、制御部１１０は、このPIチェック処理において、まず、FM受信チャネルでRDSによるデータ放送が行われているかどうかを調べ（ステップ４００）、行われていなければ、そのままPIチェック処理を終了する。
一方、FM受信チャネルでRDSによるデータ放送が行われていれば（ステップ４００）、FM受信チャネルからのPI、または、PIとAFリストの受信を待ち（ステップ４０２）、受信したならば、受信したPIが、FMステーションリストのFM受信チャネルの周波数のエントリに登録されているPIと一致するかどうかを調べる（ステップ４０４）。ここで、FMステーションリストのFM受信チャネルの周波数のエントリにPIが登録されていない場合にも、ステップ４０４の判定は不一致となる。
【００３４】
そして、受信したPIが、FMステーションリストのFM受信チャネルの周波数のエントリに登録されているPIと一致していればそのままステップ４０８に進み、一致していない場合には、FMステーションリストのFM受信チャネルの周波数のエントリのPIを、受信したPIに更新した上で（ステップ４０６）、ステップ４０８に進む。
【００３５】
そして、ステップ４０８に進んだならば、受信したPIが登録されているPIテーブルがPIデータ中に存在するかどうかを調べ、存在すればステップ４１２に進み、存在しなければ受信したPIが登録されているPIテーブルを作成した上で（ステップ４１０）、ステップ４１２に進む。
【００３６】
そして、このようにして、ステップ４１２に進んだならば、受信したPIが登録されているPIテーブルのAF周波数テーブルを、当該AF周波数テーブルの状態が、受信したPIのプログラムを放送している各周波数が現在の受信品質の良い順に登録されている状態となるように更新し、PIチェック処理を終了する。
【００３７】
ここで、受信したPIが登録されているPIテーブルのAF周波数テーブルの更新には、いくつかの手法をとることができる。
たとえば、当該AF周波数テーブルの更新は、次のように行うことができる。
すなわち、FM受信チャネルの周波数がAF周波数テーブルに登録されていない場合には、FM受信チャネルの周波数をAF周波数テーブルに追加登録する。
そして、AF周波数テーブルの各エントリを、当該エントリに登録されている周波数の受信品質の良い順に並べ替える。ここで、各エントリに登録されている周波数の受信品質は、図３に示したバックグランドシーク処理のステップ３０２で、その周波数について最後に算定した受信品質を用いることができる。ただし、PIチェック処理内において、FMフロントエンド１０５に設定するFM受信チャネルをF周波数テーブルの各エントリに登録されている各周波数に変更しながら、各周波数の受信品質を調べて用いるようにしてもよい。
【００３８】
または、当該AF周波数テーブルの更新は、次のように行うこともできる。
すなわち、ステップ４０２でAFリストを受信し、FM受信チャネルの周波数とAFリストに含まれる各周波数のうち、AF周波数テーブルに登録されていない周波数をAF周波数テーブルに追加登録する。
そして、AF周波数テーブルの各エントリを、当該エントリに登録されている周波数の受信品質の良い順に並べ替える。なお、各エントリに登録されている周波数の受信品質は、上述のように求めることができる。
または、当該AF周波数テーブルの更新は、次のように行うこともできる。
すなわち、ステップ４０２でAFリストを受信し、FM受信チャネルの周波数とAFリストに含まれる各周波数を登録したAF周波数テーブルに、受信したPIが登録されているPIテーブルのAF周波数テーブルを置換する。
そして、AF周波数テーブルの各エントリを、当該エントリに登録されている周波数の受信品質の良い順に並べ替える。なお、各エントリに登録されている周波数の受信品質は、上述のように求めることができる。
以上、制御部１１０が行うPIチェック処理について説明した。
以上のように本実施形態によれば、PIチェック処理は、DABのいずれかのサービスのSIDに対応するPIを過去に受信したFM放送と、新たに受信可能であることが探索されたFM放送についてのみ行われる。
ここで、上述のように、FM放送の全てが、DABのいずれかのサービスのSIDに対応するPIを持つ訳ではなく、サービスのSIDに対応するPIを持つFM放送は比較的少ないので、以上のようにPIチェック処理を限定的に行うことにより、FM放送の全周波数をシークする処理（バックグランドシーク処理のステップ３００から３１２に至るまでの処理）の実行間隔は短くなり、結果、各サービスのSIDに対応するPIのPIテーブルの内容が、より最新のFM放送の受信状態に整合するものに維持されることとなる。よって、受信出力しているデジタルオーディオ放送のサービスの受信状態が劣化したときに、当該サービスのSIDに対応するPIの前記PIテーブルを参照して、当該サービスと同内容を放送しており、かつ、正常受信可能なFM放送に適正に受信出力する放送を切り替えることが、よりできるようになる。また、FM放送に受信出力する放送を切り替えた後すぐに、当該FM放送の受信品質が劣化した場合でも、PIテーブルを参照して、同内容を放送している他のFM放送に受信対象放送を適正に切り替えることが、よりできるようになる。
【００３９】
ところで、以上の実施形態では、図３に示したバックグランドシーク処理のステップ３１６において、FMステーションリストのFM受信チャネルの周波数のエントリに登録されているPIが、DABアンサンブルデータのいずれかのアンサンブルテーブルに登録されているいずれかのSIDと一致するかどうかを調べ、一致しなければステップ３１０に進み、一致すればステップ３１８に進むようにしたが、これは、ステップ３１６において、FMステーションリストのFM受信チャネルの周波数のエントリに登録されているPIが、現在受信対象放送となっているサービスが含まれるアンサンブルのアンサンブルテーブルに登録されているいずれかのSIDと一致するかどうかを調べ、一致しなければステップ３１０に進み、一致すればステップ３１８に進むようにしてもよい。
【００４０】
このようにすることにより、ユーザによって受信対象放送とするDABのサービスが、切替前のサービスと異なるアンサンブルに属するサービスに切り替えられたときに、当該切替先のDABのサービスの受信品質が劣化している場合には、正常受信可能なFM放送に適正に受信出力する放送を切り替えることができなくなる場合が生じ得るが、よりFM放送の全周波数をシークする処理の実行間隔を短くすることができるので、他の場合については、より最新のFM放送の受信状態を反映したPIテーブルを用いて、より適正に正常受信可能なFM放送に受信出力する放送を切り替えることができる。
【００４１】
また、以上の実施形態の図３に示したバックグランドシーク処理のステップ３１６は、FMステーションリストのFM受信チャネルの周波数のエントリに登録されているPIが、現在受信対象放送となっているサービスのSIDと一致するかどうかを調べ、一致しなければステップ３１０に進み、一致すればステップ３１８に進む処理とすることもできる。
【００４２】
このようにすることにより、ユーザによって受信対象放送とするDABのサービスが切り替えられたときに、当該切替先のDABのサービスの受信品質が劣化している場合には、正常受信可能なFM放送に適正に受信出力する放送を切り替えることができなくなるが、さらにFM放送の全周波数をシークする処理の実行間隔を短くすることができるので、他の場合については、さらに最新のFM放送の受信状態を反映したPIテーブルを用いて、さらに適正に正常受信可能なFM放送に受信出力する放送を切り替えることができるようになる。
【符号の説明】
【００４３】
１０１…DABフロントエンド、１０２…DABデコーダ、１０３…オーディオデコーダ、１０４…DAコンバータ、１０５…FMフロントエンド、１０６…FM復調部、１０７…RDSデコーダ、１０８…表示部、１０９…操作部、１１０…制御部、１１１…メモリ、１１２…スイッチ、１１３…アンプ、１１４…スピーカ。
【図１】
2014187592.tif 000003
【図２】
2014187592.tif 000004
【図３】
2014187592.tif 000005
【図４】
2014187592.tif 000006